(57)【要約】【課題】クリック機構を有し、且つ、設計自由度が高い湯水混合栓の提供。【解決手段】湯水混合栓１０において、クリック部材Ａは、回動体４４に保持されている。レバー４６は、クリック係合部Ａを有する。レバー４６の前後回動に伴い、クリック係合部Ａがレバー４６の前後回動軸線を中心として回動する。このクリック係合部Ａの回動の少なくとも一部の範囲において、クリック係合部Ａとクリック部材Ａとの間に前後クリック係合が生ずる。前後クリック感が、次の態様（ｘ１）又は（ｘ２）である。  （ｘ１）上記前後クリック感が、上記レバーの左右回動における範囲Ｒｘで発現し、範囲Ｒｙでは発現しない。  （ｘ２）上記レバーの左右回動範囲において、範囲Ｒａでの上記前後クリック感が、範囲Ｒｂでの上記前後クリック感よりも大きい。【選択図】図８
2014145392.tif 000002
【特許請求の範囲】
【請求項１】
混合栓本体と、
上記混合栓本体の内部に設けられているハウジングと、
上記ハウジングの内部に設けられ、湯用弁孔、水用弁孔及び吐出弁孔を有する固定弁体と、
上記固定弁体の上面に摺動可能に配置されており、流路形成凹部及びレバー係合孔を有する可動弁体と、
前後回動及び左右回動が可能なレバーと、
上記レバーを前後回動可能に支持し、上記レバーに連動して左右回動しうる回動体と、
クリック部材Ａと、
を備えており、
上記レバーの左右回動により、上記可動弁体が上記固定弁体に対して旋回し、この可動弁体の旋回により、湯水混合比率の調節が可能とされており、
上記レバーの前後回動により、上記可動弁体が上記固定弁体に対して移動し、この移動により吐出量の調節が可能とされており、
上記クリック部材Ａが、上記回動体に保持されており、
上記レバーが、クリック係合部Ａを有しており、
上記レバーの上記前後回動に伴い、上記クリック係合部Ａが上記レバーの前後回動軸線を中心として回動し、
このクリック係合部Ａの回動の少なくとも一部の範囲において、上記クリック係合部Ａと上記クリック部材Ａとの間に前後クリック係合が生じ、
上記前後クリック係合に起因する前後クリック感が、次の態様（ｘ１）又は（ｘ２）である湯水混合栓。
（ｘ１）上記前後クリック感が、上記レバーの左右回動における一部の角度範囲Ｒｘで発現し、他の角度範囲Ｒｙでは発現しない。
（ｘ２）上記レバーの左右回動において、一部の角度範囲Ｒａでの上記前後クリック感が、他の角度範囲Ｒｂでの上記前後クリック感よりも大きい。
【請求項２】
上記範囲Ｒｘ又は上記範囲Ｒａが、湯を吐出しうる範囲であり、
上記範囲Ｒｙ又は上記範囲Ｒｂが、水のみを吐出しうる範囲である請求項１に記載の湯水混合栓。
【請求項３】
上記クリック部材Ａが、本体Ａと、出退移動しうる当接部材Ａと、この当接部材Ａを上記クリック係合部Ａ側に付勢する弾性部材Ａとを有しており、
上記弾性部材Ａが上記当接部材Ａを上記クリック係合部Ａに押し当てることにより、上記前後クリック係合が達成されている請求項１又は２に記載の湯水混合栓。
【請求項４】
上記本体Ａが、上記ハウジングの内面に摺動可能に当接しうる本体当接面Ａを有しており、
上記ハウジングの内面が、上記本体当接面Ａに摺動可能に当接しうるハウジング当接面を有しており、
上記ハウジング当接面が、第一ハウジング当接面と、この第一ハウジング当接面よりも半径方向内側に位置する第二ハウジング当接面とを有しており、
上記レバーの左右回動により、上記本体当接面Ａが上記第一ハウジング当接面に当接している第一状態と、上記本体当接面Ａが上記第二ハウジング当接面に当接している第二状態との相互移行が可能とされており、
次の態様（ｙ１）又は（ｙ２）が可能とされている請求項３に記載の湯水混合栓。
（ｙ１）上記第二状態では上記前後クリック感が発現し、上記第一状態では上記前後クリック感が発現しない。
（ｙ２）上記第二状態における上記前後クリック感が、上記第一状態における上記前後クリック感よりも大きい。
【請求項５】
上記回動体と共に左右回動するクリック部材Ｂを更に備えており、
このクリック部材Ｂが、当接部材Ｂと弾性部材Ｂとを有しており、
上記当接部材Ｂが、上下方向に移動可能な状態で上記弾性部材Ｂによって支持されており、
上記ハウジングの内面に、上記当接部材Ｂに当接しうるクリック係合部Ｂが設けられており、
上記弾性部材Ｂが上記当接部材Ｂを上記クリック係合部Ｂに押し当てることにより、左右クリック係合が達成されている請求項１から４のいずれかに記載の湯水混合栓。
【請求項６】
請求項１から５のいずれかに記載の湯水混合栓を備えた水栓装置。
【発明の詳細な説明】
【技術分野】
【０００１】
本発明は、湯水混合栓に関する。
【背景技術】
【０００２】
ハンドル操作により吐出量及び湯水の混合割合を調整できる水栓が知られている。シングルレバー式の湯水混合栓では、レバーハンドルの左右回動（旋回）により湯と水との切り替え及び混合比の調整が可能であり、レバーハンドルの前後回動（上下回動）により吐出量の調整が可能である。
【０００３】
この湯水混合栓において、クリック機構を有するものがある。実用新案登録第３１６６８２０号公報は、レバーの左右回動におけるクリック機構を開示する。この発明では、略円形の制動スプリングプレートに制動縁部が形成され、この制動縁部と突き当て部との嵌合いにより、クリック機構が実現されている。特許第２７７９７９２号公報は、レバーの前後回動におけるクリック機構を開示する。この発明では、レバー体の両側部に形成された複数の凹部と、板バネに形成された突部との係合により、クリック機構が実現されている。
【０００４】
一方、特開２００３−１２９５３５号公報は、レバーハンドルの位置が使用者に正対する位置で水を吐出するシングルレバー湯水混合栓を開示する。この発明の目的は、使用者が無意識に混合水を使用することを防止し、省資源化を図ることにある。
【先行技術文献】
【特許文献】
【０００５】
【特許文献１】実用新案登録第３１６６８２０号公報
【特許文献２】特許第２７７９７９２号公報
【特許文献３】特開２００３−１２９５３５号公報
【発明の概要】
【発明が解決しようとする課題】
【０００６】
クリック機構により、バルブ機構等の設計自由度が低下しうる。一方、湯水混合栓に求められる機能は多様化している。湯水混合栓の設計自由度を高めうるクリック機構が好ましい。
【０００７】
本発明の目的は、クリック機構を有し、且つ、設計自由度が高い湯水混合栓を提供することにある。
【課題を解決するための手段】
【０００８】
本発明に係る好ましい湯水混合栓は、混合栓本体と、上記混合栓本体の内部に設けられているハウジングと、上記ハウジングの内部に設けられ、湯用弁孔、水用弁孔及び吐出弁孔を有する固定弁体と、上記固定弁体の上面に摺動可能に配置されており、流路形成凹部及びレバー係合孔を有する可動弁体と、前後回動及び左右回動が可能なレバーと、上記レバーを前後回動可能に支持し、上記レバーに連動して左右回動しうる回動体と、クリック部材Ａと、を備えている。上記レバーの左右回動により、上記可動弁体が上記固定弁体に対して旋回し、この可動弁体の旋回により、湯水混合比率の調節が可能とされている。上記レバーの前後回動により、上記可動弁体が上記固定弁体に対して移動し、この移動により吐出量の調節が可能とされている。上記クリック部材Ａは、上記回動体に保持されている。上記レバーは、クリック係合部Ａを有している。上記レバーの上記前後回動に伴い、上記クリック係合部Ａは、上記レバーの前後回動軸線を中心として回動する。上記クリック係合部Ａの回動の少なくとも一部の範囲において、上記クリック係合部Ａと上記クリック部材Ａとの間に前後クリック係合が生じる。上記前後クリック係合に起因する前後クリック感が、次の態様（ｘ１）又は（ｘ２）である。
（ｘ１）上記前後クリック感が、上記レバーの左右回動における一部の角度範囲Ｒｘで発現し、他の角度範囲Ｒｙでは発現しない。
（ｘ２）上記レバーの左右回動において、一部の角度範囲Ｒａでの上記前後クリック感が、他の角度範囲Ｒｂでの上記前後クリック感よりも大きい。
【０００９】
好ましくは、上記範囲Ｒｘ又は上記範囲Ｒａが、湯を吐出しうる範囲である。好ましくは、上記範囲Ｒｙ又は上記範囲Ｒｂが、水のみを吐出しうる範囲である。
【００１０】
好ましくは、上記クリック部材Ａが、本体Ａと、出退移動しうる当接部材Ａと、この当接部材Ａを上記クリック係合部Ａ側に付勢する弾性部材Ａとを有している。好ましくは、上記弾性部材Ａが上記当接部材Ａを上記クリック係合部Ａに押し当てることにより、上記前後クリック係合が達成されている。
【００１１】
好ましくは、上記本体Ａが、上記ハウジングの内面に摺動可能に当接しうる本体当接面Ａを有している。好ましくは、上記ハウジングの内面が、上記本体当接面Ａに摺動可能に当接しうるハウジング当接面を有している。好ましくは、上記ハウジング当接面が、第一ハウジング当接面と、この第一ハウジング当接面よりも半径方向内側に位置する第二ハウジング当接面とを有している。好ましくは、上記レバーの左右回動により、上記本体当接面Ａが上記第一ハウジング当接面に当接している第一状態と、上記本体当接面Ａが上記第二ハウジング当接面に当接している第二状態との相互移行が可能とされている。好ましくは、次の態様（ｙ１）又は（ｙ２）が可能とされている。
（ｙ１）上記第二状態では上記前後クリック感が発現し、上記第一状態では上記前後クリック感が発現しない。
（ｙ２）上記第二状態における上記前後クリック感が、上記第一状態における上記前後クリック感よりも大きい。
【００１２】
好ましくは、上記回動体と共に左右回動するクリック部材Ｂが更に備けられている。好ましくは、このクリック部材Ｂが、当接部材Ｂと弾性部材Ｂとを有している。好ましくは、上記当接部材Ｂが、上下方向に移動可能な状態で上記弾性部材Ｂによって支持されている。好ましくは、上記ハウジングの内面に、上記当接部材Ｂに当接しうるクリック係合部Ｂが設けられている。好ましくは、上記弾性部材Ｂが上記当接部材Ｂを上記クリック係合部Ｂに押し当てることにより、左右クリック係合が達成されている。
【００１３】
好ましい水栓器具は、上述のいずれかの湯水混合栓を備えている。
【発明の効果】
【００１４】
クリック機構を有し、且つ、設計自由度に優れた湯水混合栓が得られうる。
【図面の簡単な説明】
【００１５】
【図１】図１は、本発明の一実施形態に係る湯水混合栓の斜視図である。
【図２】図２は、図１の湯水混合栓の一部が示された正面図である。
【図３】図３は、図１の湯水混合栓の一部が示された側面図である。
【図４】図４は、バルブ組立体の斜視図である。
【図５】図５は、バルブ組立体の側面図である。
【図６】図６は、バルブ組立体の平面図である。
【図７】図７は、バルブ組立体の断面図である。図７は、縦方向断面図である。
【図８】図８は、バルブ組立体の分解斜視図である。
【図９】図９は、レバーの斜視図である。
【図１０】図１０（ａ）は回動体の平面図であり、図１０（ｂ）は回動体の側面図であり、図１０（ｃ）は回動体の斜視図であり、図１０（ｄ）は回動体の側面図である。図１０（ｂ）と図１０（ｄ）とでは、視点が９０°相違する。
【図１１】図１１（ａ）はハウジングの平面図であり、図１１（ｂ）はハウジングの底面図であり、図１１（ｃ）はハウジングの斜視図である。
【図１２】図１２（ａ）はクリック部材Ａの斜視図であり、図１２（ｂ）はクリック部材Ａの下面が示された斜視図であり、図１２（ｃ）は図１２（ｂ）の分解斜視図である。
【図１３】図１３は、バルブ組立体の一部断面斜視図である。
【図１４】図１４は、第一状態におけるバルブ組立体の平面図である。
【図１５】図１５は、図１４の断面図である。
【図１６】図１６は、第三状態におけるバルブ組立体の平面図である。
【図１７】図１７は、図１６の断面図である。
【図１８】図１８は、第二状態におけるバルブ組立体の平面図である。
【図１９】図１９は、図１８の断面図である。
【図２０】図２０は、レバー（ハンドル）の左右回動について説明するための図である。
【発明を実施するための形態】
【００１６】
以下、適宜図面が参照されつつ、好ましい実施形態に基づいて本発明が詳細に説明される。
【００１７】
図１は、本発明の一実施形態に係る湯水混合栓１０の斜視図である。図２は、湯水混合栓１０の上部の正面図である。図３は、湯水混合栓１０の上部の側面図である。湯水混合栓１０は、本体１２、ハンドル１４、吐出部１６、湯導入管１８、水導入管２０及び吐出管２２を有する。吐出部１６は、ヘッド２４を有する。ヘッド２４では、シャワー吐出と通常吐出との切り替えが可能である。湯水混合栓１０は、例えば、流し台、洗面台等に取り付けられ、水栓装置として使用される。湯水混合栓１０を含む水栓装置は、流し台等に湯水混合栓１０を固定するための固定部２３と、湯供給管に接続される接続部２５と、水供給管に接続される接続部２７とを有している。
【００１８】
ハンドル１４の上下回動（前後回動）により、吐出量が調節される（図３の矢印Ｍ参照）。本実施形態では、ハンドル１４を上側に動かすほど、吐出量が増加する。逆に、ハンドル１４を下側に動かすほど吐出量が増加してもよい。また、ハンドル１４の左右回動（旋回）により、湯と水との混合割合が変化する。ハンドル１４の左右回動により、吐水温度の調節が可能である。
【００１９】
湯水混合栓１０は、その内部に、バルブ組立体４０（後述）を有する。バルブ組立体４０は、外カバー１３の内部に配置されている。ハンドル１４は、ネジ（図示されず）によって、レバー４６（後述）に固定されている。なお、バルブ組立体４０は、単独で取り扱い可能である。湯水混合栓１０において、バルブ組立体４０は交換可能である。
【００２０】
図４は、バルブ組立体４０の斜視図である。図５は、バルブ組立体４０の側面図である。図６は、バルブ組立体４０の平面図である。図７は、図６のＡ−Ａ線に沿った断面図である。図８は、バルブ組立体４０の分解斜視図である。バルブ組立体４０は、単独で取り扱い可能である。湯水混合栓１０において、バルブ組立体４０は交換可能である。
【００２１】
これらの図面が示すように、バルブ組立体４０は、ハウジング４２、回動体４４、レバー４６、レバー軸４８、クリック部材ａ１及びクリック部材ｂ１を有する。
【００２２】
なお、本願では、２つのクリック部材を区別するため、「クリック部材Ａ」及び「クリック部材Ｂ」との用語が用いられる。「クリック部材Ａ」は、前後クリック感を生じさせる。「クリック部材Ｂ」は、左右クリック感を生じさせる。本実施形態のクリック部材ａ１は、クリック部材Ａの一例である。本実施形態のクリック部材ｂ１は、クリック部材Ｂの一例である。
【００２３】
更に、バルブ組立体４０は、可動弁体６０、固定弁体６２、パッキン６４及びベース体６８を有する（図７及び図８参照）。
【００２４】
図示されていないが、ベース体６８は、湯導入口、水導入口及び吐出口を有する。ベース体６８の下部には、これら湯導入口、水導入口及び吐出口のそれぞれに対応した開口が設けられており、これらの開口のそれぞれに、上述した湯導入管１８、水導入管２０及び吐出管２２が接続されている。固定弁体６２は、ベース体６８の上側に固定されている。
【００２５】
固定弁体６２は、湯用弁孔、水用弁孔及び混合水用弁孔を有している。湯用弁孔は、ベース体６８の湯導入口に接続されている。パッキン６４により、この接続の水密状態が保持されている。水用弁孔は、ベース体６８の水導入口に接続されている。パッキン６４により、この接続の水密状態が保持されている。混合水用弁孔は、ベース体６８の吐出口に接続されている。パッキン６４により、この接続の水密状態が保持されている。
【００２６】
可動弁体６０は、上側部材８６と、Ｏリング８７と、下側部材８８とを有する（図７参照）。上側部材８６は、下側部材８８に固定されている。本実施形態では、上側部材８６と下側部材８８とが互いに別部材である。これらが別部材とされことで、上側部材８６と下側部材８８とのそれぞれにおいて、最適な材質及び製法が選択されうる。可動弁体６０は全体として一体成形されていてもよい。Ｏリング８７は、上側部材８６と下側部材８８との境界からの水漏れを防止している。
【００２７】
下側部材８８には貫通孔９４が設けられている（図７参照）。この貫通孔９４の上側開口は、上側部材８６によって塞がれている。この結果、貫通孔９４は、流路形成凹部９６を形成している。
【００２８】
固定弁体６２の上面には、平滑面ＰＬ１が設けられている（図７参照）。一方、下側部材８８（可動弁体６０）の下面には、平滑面ＰＬ２が設けられている。流路形成凹部９６が形成されていない部分に、平滑面ＰＬ２が設けられている（図７参照）。平滑面ＰＬ１と平滑面ＰＬ２との面接触により、水密状態が確保されている。
【００２９】
図７が示すように、上側部材８６の上面には、レバー４６の下端９５と係合するレバー係合凹部９８が設けられている。レバー４６の下端９５は、このレバー係合凹部９８に挿入されている。レバー４６の動きに連動して、可動弁体６０が固定弁体６２の上を摺動する。
【００３０】
図９は、レバー４６の斜視図である。レバー４６は、軸孔１００を有する。この軸孔１００に、レバー軸４８が挿通されている。レバー４６は、このレバー軸４８を中心として、前後回動しうる。
【００３１】
レバー４６は、クリック係合部ａ２を有している。クリック係合部ａ２は、レバー４６の側面に設けられている。本実施形態では、クリック係合部ａ２は、凹凸である。より詳細には、クリック係合部ａ２は、複数の凸条を有している。これらの凸条が並列されている。複数の凸条は、隙間無く並列されている。片道１回のレバー４６の前後回動で、複数回の前後クリック感が生じる。
【００３２】
クリック係合部ａ２は、レバー４６と一体である。クリック係合部ａ２は、レバー４６とは別体であってもよい。クリック係合部ａ２は、レバー４６に取り付けられていても良い。レバー４６と一体のクリック係合部ａ２は、耐久性に優れる。また、部品点数の減少及び組立コストの低減が達成されうる。
【００３３】
図１０（ａ）は、回動体４４の平面図である。図１０（ｂ）は、回動体４４の側面図である。図１０（ｃ）は、回動体４４の斜視図である。図１０（ｄ）は、回動体４４の側面図である。図１０（ｂ）と図１０（ｄ）とでは、視点が９０°相違する。
【００３４】
回動体４４は、基部１０２と上部１０４とを有する。上部１０４は、レバー挿入孔１０６と、軸孔１０８とを有する。基部１０２は、クリック部材配置部１１０を有する。このクリック部材配置部１１０は、凹部である。このクリック部材配置部１１０は、断面円形の孔である。
【００３５】
レバー４６は、レバー挿入孔１０６に挿入される。このレバー４６の軸孔１００と、回動体４４の軸孔１０８とが同軸で配置される（図７参照）。これら軸孔１００及び軸孔１０８に、レバー軸４８が挿入される。この挿入により、レバー４６が、前後回動が可能な状態で、回動体４４に固定される。レバー挿入孔１０６の寸法は、レバー４６の前後回動を許容しうるように設定されている。なお本願では、レバー軸４８を回転軸とするレバー４６の回動が、「前後回動」とも称される。
【００３６】
図１１（ａ）は、ハウジング４２の平面図である。図１１（ｂ）は、ハウジング４２の底面図である。図１１（ｃ）は、ハウジング４２の斜視図である。図１１（ｃ）は、斜め下方から見た斜視図である。
【００３７】
図１１（ａ）、図４及び図５が示すように、ハウジング４２は、小径円筒部１２０と、大径円筒部１２２と、連結部１２４とを有する。連結部１２４は、小径円筒部１２０と大径円筒部１２２とを繋いでいる。連結部１２４は、ハウジング４２の半径方向に延在している。小径円筒部１２０は、上方開口１２６を有する。図１１（ｃ）が示すように、大径円筒部１２２は、下方開口１２８を有する。
【００３８】
大径円筒部１２２は、係合孔１３０を有する（図１１（ｃ）参照）。この係合孔１３０が、ベース体６８の係合凸部７７と係合している（図４参照）。この係合は、ベース体６８へのハウジング４２の固定に寄与している。
【００３９】
回動体４４の上部１０４の円周面部の外径は、小径円筒部１２０の内径に略等しい。回動体４４の上部１０４は、小径円筒部１２０に回転可能な状態で保持されている。この回転では、上部１０４の外周面１０５と、小径円筒部１２０の内周面１２１とが摺動する（図７及び図８参照）。
【００４０】
大径円筒部１２２は、回動体４４の基部１０２、可動弁体６０及び固定弁体６２を収容している（図７参照）。
【００４１】
［湯水の流れ］
湯は、湯導入管１８から、ベース体６８の湯導入口を経由して、固定弁体６２の湯用弁孔に至る。水は、水導入管２０から、ベース体６８の水導入口を経由して、固定弁体６２の水用弁孔に至る。
【００４２】
固定弁体６２の湯用弁孔に到達した湯は、流路形成凹部９６に流入する。この流入は、流路形成凹部９６の開口と上記湯用弁孔との重複部Ｈ（図示されない）により生ずる。可動弁体６０の摺動により、重複部Ｈの面積は変化する。重複部Ｈが存在しない場合、湯は流路形成凹部９６に流入しない。重複部Ｈが存在しない場合とは、可動弁体６０（下側部材８８）の下面を構成する平滑面ＰＬ２によって上記湯用弁孔が完全に塞がれていることを意味する。
【００４３】
固定弁体６２の水用弁孔に到達した水は、流路形成凹部９６に流入する。この流入は、流路形成凹部９６の開口と上記水用弁孔との重複部Ｃにより生ずる。可動弁体６０の摺動により、重複部Ｃの面積は変化する。重複部Ｃが存在しない場合、水は流路形成凹部９６に流入しない。重複部Ｃが存在しない場合とは、可動弁体６０（下側部材８８）の下面を構成する平滑面ＰＬ２によって上記水用弁孔が完全に塞がれていることを意味する。
【００４４】
流路形成凹部９６に到達した湯及び／又は水は、固定弁体６２の上記混合水用弁孔、ベース体６８の上記吐出口及び吐出管２２を経由して、吐出部１６に至る。
【００４５】
湯と水との混合割合は、上記重複部Ｈと上記重複部Ｃとの面積比Ｍ１によって決まる。ハンドル１４（レバー４６）の左右回動によって、可動弁体６０が回転する。この可動弁体６０の回転によって、面積比Ｍ１が変化する。この変化によって、水温が調整される。
【００４６】
吐出量は、上記重複部Ｈと上記重複部Ｃとの面積合計Ｓａによって決まる。ハンドル１４（レバー４６）の前後回動によって、可動弁体６０が直線的に移動する。この可動弁体６０の移動によって、面積合計Ｓａが変化する。この変化によって、吐出量が調整される。面積合計Ｓａがゼロである場合、吐出がストップする。面積合計Ｓａがゼロである場合とは、平滑面ＰＬ２によって、上記湯用弁孔及び上記水用弁孔が完全に塞がれていることを意味する。
【００４７】
［クリック感に係る用語の定義］
本願において、クリック感に係る用語が、以下の如く定義される。なお、好ましいクリック感は、使用者が触覚及び／又は聴覚で感知できる感覚である。
【００４８】
［前後クリック感］
前後クリック感とは、レバー４６の前後回動に伴い生じうるクリック感である。前後クリック感として、振動、音、操作抵抗力の変化、等が挙げられる。
【００４９】
［前後クリック係合］
前後クリック係合とは、前後クリック感を生じさせる係合である。係合の態様は限定されない。
【００５０】
［左右クリック感］
左右クリック感とは、レバー４６の左右回動に伴い生じうるクリック感である。左右クリック感として、振動、音、操作抵抗力の変化、等が挙げられる。
【００５１】
［左右クリック係合］
左右クリック係合とは、左右クリック感を生じさせる係合である。係合の態様は限定されない。
【００５２】
［クリック係合部Ａ、クリック部材Ａ］
用語の区別を明確とする目的で、本願では、クリック係合部Ａ及びクリック部材Ａとの用語が用いられる。これらは、前後クリック係合に関与する。
【００５３】
［クリック係合部Ａ］
クリック係合部Ａは、前後クリック係合を生じさせる。クリック係合部Ａは、レバー４６の前後回動に連動する。クリック係合部Ａは、レバー４６の前後回動軸線を中心として回動する。クリック係合部Ａは、レバー４６に設けられている。クリック係合部Ａは、レバー４６と一体であってもよい。クリック係合部Ａは、レバー４６とは別体であってもよい。クリック係合部Ａは、レバー４６に取り付けられていても良い。
【００５４】
［クリック部材Ａ］
クリック部材Ａは、クリック係合部Ａとの係合により、前後クリック係合を生じさせる。クリック部材Ａは、レバー４６の前後回動に連動しない。レバー４６が左右回動されると、クリック部材Ａはレバー４６と共に回動する。クリック部材Ａは、回動体４４に保持されている。クリック部材Ａは、回動体４４と共に左右回動する。
【００５５】
［本体Ａ、本体当接面Ａ、当接部材Ａ、弾性部材Ａ］
用語の区別を明確とする目的で、本願では、本体Ａ、当接部材Ａ及び弾性部材Ａとの用語が用いられる。これらは、上記クリック部材Ａを構成している部材である。即ち、上記クリック部材Ａが、本体Ａ、当接部材Ａ及び弾性部材Ａを有している。
【００５６】
［本体Ａ、本体当接面Ａ］
本体Ａは、クリック部材Ａの本体である。本体Ａは、本体当接面Ａを有する。
【００５７】
［本体当接面Ａ］
本体当接面Ａは、ハウジング４２の内面に摺動可能に当接しうる。本体当接面Ａは、当接部材Ａの突出方向後方側に設けられている。当接部材Ａの突出方向前方側には、クリック係合部ａ２が配置されている。
【００５８】
［当接部材Ａ］
当接部材Ａは、出退移動しうる。この当接部材Ａは、クリック係合部Ａに当接する。この当接により、前後クリック係合が生じる。
【００５９】
［弾性部材Ａ］
弾性部材Ａは、当接部材Ａを、クリック係合部Ａ側に付勢している。この付勢により、当接部材Ａは、クリック係合部Ａに押し当てられる。
【００６０】
［クリック係合部Ｂ、クリック部材Ｂ］
用語の区別を明確とする目的で、本願では、クリック係合部Ｂ及びクリック部材Ｂとの用語が用いられる。これらは、左右クリック係合に関与する。  
【００６１】
［クリック係合部Ｂ］
クリック係合部Ｂは、左右クリック係合を生じさせる。クリック係合部Ｂは、当接部材Ｂ（後述）に当接しうる。クリック係合部Ｂは、レバー４６の左右回動に連動しない。クリック係合部Ｂは、レバー４６の左右回動及び前後回動に関わらず、固定されている。クリック係合部Ｂは、ハウジング４２の内面に設けられている。クリック係合部Ｂは、ハウジング４２と一体であってもよい。クリック係合部Ｂは、ハウジング４２とは別体であってもよい。クリック係合部Ｂは、ハウジング４２に取り付けられていても良い。クリック係合部Ｂは、ハウジング４２以外の部材に設けられても良い。
【００６２】
［クリック部材Ｂ］
クリック部材Ｂは、クリック係合部Ｂとの係合により、左右クリック係合を生じさせる。クリック部材Ｂは、レバー４６の前後回動に連動しない。クリック部材Ｂは、レバー４６の左右回動に連動する。クリック部材Ｂは、回動体４４と共に左右回動する。クリック部材Ｂは、回動体４４に保持されているのが好ましい。
【００６３】
［当接部材Ｂ、弾性部材Ｂ］
用語の区別を明確とする目的で、当接部材Ｂ及び弾性部材Ｂとの用語が用いられる。これらは、上記クリック部材Ｂを構成している部材である。即ち、上記クリック部材Ｂが、当接部材Ｂ及び弾性部材Ｂを有している。
【００６４】
［当接部材Ｂ］
当接部材Ｂは、出退移動しうる。当接部材Ｂは、上下方向に移動可能である。この当接部材Ｂが、クリック係合部Ｂに当接しうる。この当接により、左右クリック係合が生ずる。
【００６５】
［弾性部材Ｂ］
弾性部材Ｂは、当接部材Ｂを、上下方向に移動可能な状態で支持している。弾性部材Ｂは、当接部材Ｂを、クリック係合部Ｂに押し当てる。弾性部材Ｂは、当接部材Ｂを、クリック係合部Ｂ側に付勢している。この付勢により、当接部材Ｂは、クリック係合部Ｂに押し当てられる。
【００６６】
これらの各部材について、本実施形態では、以下の符号が用いられる。
・クリック部材Ａ：ａ１
・本体Ａ：ａ１０
・本体当接面Ａ：ａ１１０
・当接部材Ａ：ａ１２
・弾性部材Ａ：ａ１４
・クリック係合部Ａ：ａ２
・クリック部材Ｂ：ｂ１
・当接部材Ｂ：ｂ１２
・弾性部材Ｂ：ｂ１４
・クリック係合部Ｂ：ｂ２
【００６７】
［前後クリック機構］
上述の通り、前後クリック機構は、クリック部材ａ１とクリック係合部ａ２とを有している。
【００６８】
図１２（ａ）は、クリック部材ａ１の斜視図である。図１２（ｂ）も、クリック部材ａ１の斜視図である。図１２（ｂ）は、図１２（ａ）に対して、上下反転されている。図１２（ｃ）は、図１２（ｂ）の分解斜視図である。
【００６９】
図１２（ａ）、（ｂ）及び（ｃ）が示すように、クリック部材ａ１は、本体ａ１０と、当接部材ａ１２と、弾性部材ａ１４とを有する。本体ａ１０は、レール部ａ１０２と、側面ａ１０４と、突出用開口ａ１０６と、下方開口ａ１０８とを有する。更に、本体ａ１０は、本体当接面ａ１１０と、傾斜面ａ１１２とを有する（図８参照）。
【００７０】
弾性部材ａ１４は、コイルバネである。コイルバネ以外の弾性部材が用いられても良い。図１２（ｃ）が示すように、当接部材ａ１２は、ストッパ部ａ１２０、先端部ａ１２２及び後方突起ａ１２４を有する。本体ａ１０は、支持突起ａ１１４を有する。弾性部材ａ１４は、本体ａ１０に収容されている。弾性部材ａ１４の一端部には、支持突起ａ１１４が挿入されている。弾性部材ａ１４の他端部には、後方突起ａ１２４が挿入されている。弾性部材ａ１４の姿勢は、本体ａ１０の内部において、安定している。先端部ａ１２２は、本体ａ１０の突出用開口ａ１０６に挿通されている。
【００７１】
弾性部材ａ１４は、当接部材ａ１２を、先端部ａ１２２側に付勢している。弾性部材ａ１４は、当接部材ａ１２を、出退方向の突出側に付勢している。弾性部材ａ１４は、当接部材ａ１２を、クリック係合部ａ２へ向かう方向に付勢している。弾性部材ａ１４の伸縮方向は、当接部材ａ１２の出退方向に等しい。先端部ａ１２２が非当接状態にあるとき、当接部材ａ１２は、最大限突出している。ストッパ部ａ１２０と本体ａ１０との緩衝により、当接部材ａ１２の最大突出量は制約されている。
【００７２】
弾性部材ａ１４は、下方開口ａ１０８を利用して、本体ａ１０の内部に配置される。クリック部材ａ１が保持部１４０（後述）に配置されると、この下方開口ａ１０８の少なくとも一部が回動体４４によって塞がれる。よって、弾性部材ａ１４は脱落しない。
【００７３】
前後クリック係合は、当接部材ａ１２とクリック係合部ａ２との係合である。より詳細には、前後クリック係合は、先端部ａ１２２とクリック係合部ａ２との係合である。
【００７４】
クリック部材ａ１は、回動体４４に保持されている。図１０が示すように、回動体４４は、クリック部材ａ１を保持するための保持部１４０を有する。この保持部１４０は、クリック部材ａ１をスライド可能に保持しうる。保持部１４０は、側面１４２と、底面１４４と、スライド溝１４６とを有する。保持部１４０は、上方に開放されている。保持部１４０は、互いに対向する２つの側面１４２を有する。保持部１４０は、互いに平行な２つのスライド溝１４６を有する。この保持部１４０は、２つの凸部１４８の間の隙間を利用して形成されている。
【００７５】
図１３は、図５のＢ−Ｂ線に沿った断面が示された一部断面斜視図である。この図１３に示されるように、保持部１４０に、クリック部材ａ１が取り付けられている。保持部１４０は、クリック部材ａ１を、スライド可能な状態で保持している。クリック部材ａ１のスライド方向は、小径円筒部１２０の半径方向である。クリック部材ａ１は、クリック係合部ａ２に向かう方向にスライドしうる。クリック部材ａ１は、クリック係合部ａ２との距離が変化するように移動しうる。
【００７６】
クリック部材ａ１のレール部ａ１０２が、保持部１４０のスライド溝１４６に挿入されている（図１３参照）。この挿入により、クリック部材ａ１はスライド可能な状態で保持されている。また、本体ａ１０の側面ａ１０４は２箇所に設けられており、これら側面ａ１０４のそれぞれが、保持部１４０の側面１４２に当接している。この当接によっても、クリック部材ａ１は、スライド可能な状態で保持されている。スライド移動のいずれの位置においても、クリック部材ａ１の姿勢は一定である。クリック部材ａ１の姿勢は常に安定している。
【００７７】
なお、クリック部材ａ１のスライド方向は、当接部材ａ１２の出退方向と同じである。
【００７８】
クリック部材ａ１のスライドには、ハウジング４２が関与している。ハウジング４２は、ハウジング当接面Ｈｔを有している。このハウジング当接面Ｈｔは、クリック部材ａ１の位置を制御しうる。
【００７９】
図１１、図１３等が示すように、ハウジング当接面Ｈｔは、第一ハウジング当接面Ｈｔ１と、第二ハウジング当接面Ｈｔ２とを有している。更に、ハウジング当接面Ｈｔは、接続面Ｈｔ３を有している。第一ハウジング当接面Ｈｔ１と第二ハウジング当接面Ｈｔ２との間に、接続面Ｈｔ３が設けられている（図１４等参照）。接続面Ｈｔ３は傾斜面である。接続面Ｈｔ３は、第二ハウジング当接面Ｈｔ２に近づくにつれて半径方向内側となるように、傾斜している。接続面Ｈｔ３は、第一ハウジング当接面Ｈｔ１と第二ハウジング当接面Ｈｔ２とを滑らかに繋いでいる。
【００８０】
ハウジング当接面Ｈｔは、ハウジング４２の内面に設けられている。ハウジング当接面Ｈｔは、小径円筒部１２０の内面に設けられている。
【００８１】
第一ハウジング当接面Ｈｔ１は円周面（の一部）である。第二ハウジング当接面Ｈｔ２は円周面（の一部）である。第一ハウジング当接面Ｈｔ１の円周面と、第二ハウジング当接面Ｈｔ２の円周面とは、同軸である。
【００８２】
第二ハウジング当接面Ｈｔ２は、第一ハウジング当接面Ｈｔ１よりも半径方向内側に位置している。この半径方向とは、第一ハウジング当接面Ｈｔ１の円周面の半径方向である。この半径方向とは、第二ハウジング当接面Ｈｔ２の円周面の半径方向でもある。
【００８３】
ハウジング当接面Ｈｔは、本体当接面ａ１１０に摺動可能に当接しうる。図１３から図１９には、ハウジング当接面Ｈｔと本体当接面ａ１１０との当接状態が示されている。
【００８４】
図１４は、状態Ｓａにおけるバルブ組立体４０の平面図である。図１５は、状態Ｓａにおけるバルブ組立体４０の断面図である。図１５の断面の位置は、図５のＢ−Ｂ線に等しい。図１６は、状態Ｓｃにおけるバルブ組立体４０の平面図である。図１７は、状態Ｓｃにおけるバルブ組立体４０の断面図である。図１７の断面の位置は、図５のＢ−Ｂ線に等しい。図１８は、状態Ｓｄにおけるバルブ組立体４０の平面図である。図１９は、状態Ｓｄにおけるバルブ組立体４０の断面図である。図１９の断面の位置は、図５のＢ−Ｂ線に等しい。  
【００８５】
前述した図１３は、状態Ｓｂにおける斜視図である。
【００８６】
レバー４６（ハンドル１４）を第一方向に左右回動させると、バルブ組立体４０の状態は、状態Ｓａ、状態Ｓｂ、状態Ｓｃ、状態Ｓｄの順で遷移する。本実施形態では、上記第一方向が、高温側である。この第一方向が、低温側であってもよい。
【００８７】
状態Ｓａでは、第一ハウジング当接面Ｈｔ１と本体当接面ａ１１０とが当接している（図１４及び図１５参照）。この当接が達成された状態が、本願において、第一状態Ｄ１とも称される。状態Ｓａは、第一状態Ｄ１の一例である。
【００８８】
状態Ｓｂでも、第一ハウジング当接面Ｈｔ１と本体当接面ａ１１０とが当接している（図１３参照）。状態Ｓｂは、第一状態Ｄ１の他の一例である。
【００８９】
状態Ｓｄでは、第二ハウジング当接面Ｈｔ２と本体当接面ａ１１０とが当接している（図１８及び図１９参照）。この当接が達成された状態が、本願において、第二状態Ｄ２とも称される。状態Ｓｄは、第二状態Ｄ２の一例である。
【００９０】
状態Ｓｃでは、本体当接面ａ１１０は、第一ハウジング当接面Ｈｔ１と当接しておらず、第二ハウジング当接面Ｈｔ２とも当接していない（図１６及び図１７参照）。状態Ｓｃは、上記第一状態Ｄ１ではなく、上記第二状態Ｄ２でもない。第一ハウジング当接面Ｈｔ１及び第二ハウジング当接面Ｈｔ２に当接していない状態が、本願において、第三状態Ｄ３とも称される。この第三状態Ｄ３では、傾斜面ａ１１２が、接続面Ｈｔ３に当接している。
【００９１】
第三状態Ｄ３では、前後クリック係合の有無の切り替えが起こる。接続面Ｈｔ３が傾斜面とされていることにより、この切り替えは円滑になされる。第三状態Ｄ３は、レバー４６の円滑な左右回動を阻害しない。
【００９２】
なお、第三状態Ｄ３におけるレバー４６の左右回動において、前後クリック感が、徐々に又は段階的に変化してもよい。また、第三状態Ｄ３におけるレバー４６の左右回動において、前後クリック感が、高温側ほど大きくなるように、徐々に又は段階的に変化してもよい。
【００９３】
バルブ組立体４０では、レバー４６の左右回動により、上記第一状態Ｄ１と上記第二状態Ｄ２との相互移行が可能とされている。本実施形態では、上記第一状態Ｄ１と上記第二状態Ｄ２との相互移行の間に、上記第三状態Ｄ３が経由される。なお、第三状態Ｄ３は生じなくてもよい。上記第一状態Ｄ１と上記第二状態Ｄ２との相互移行を円滑とし、レバー４６の操作性を高める観点から、上記相互移行において、上記第三状態が経由されるのが好ましい。
【００９４】
上記第一状態Ｄ１から上記第二状態Ｄ２への移行により、クリック部材ａ１は、クリック係合部ａ２に係合しうる位置に移動する。第二状態Ｄ２では、クリック部材ａ１は、クリック係合部ａ２を押圧しうる位置にまで移動しうる。第二状態Ｄ２において、クリック部材ａ１の位置は、クリック係合部ａ２の凹部及び凸部に当接部材ａ１２が当接しうるような位置である。クリック部材ａ１が第二状態Ｄ２であるとき、前後クリック係合が生じうる。
【００９５】
上記第二状態Ｄ２から上記第一状態Ｄ１への移行により、クリック部材ａ１は、少なくとも、クリック係合部ａ２を押圧しえない位置に移動する。クリック部材ａ１が第一状態Ｄ１であるとき、当接部材ａ１２が最大に突出した状態においても、当接部材ａ１２はクリック係合部ａ２を押圧しない。よって、クリック部材ａ１が第一状態Ｄ１であるとき、前後クリック係合が生じない。
【００９６】
このように、第一状態Ｄ１と第二状態Ｄ２との相互移行により、前後クリック係合が生ずるか否かの切替が可能とされている。
【００９７】
なお、第二状態Ｄ２から第一状態Ｄ１への移行では、クリック係合部ａ２と当接部材ａ１２との当接によって、クリック部材ａ１が半径方向外側にスライドする。第一状態Ｄ１から第二状態Ｄ２への移行では、上述の通り、ハウジング当接面Ｈｔがクリック部材ａ１を半径方向内側にスライドさせる。
【００９８】
前後クリック係合の解除は、上記第三状態の間に生ずる。この第三状態においては、前後クリック感の強さが徐々に変化しうる。接続面Ｈｔ３の設定によって、前後クリック感の変化の度合いを調整することができる。例えば、接続面Ｈｔ３の周方向範囲を広げ且つ接続面Ｈｔ３の傾斜を緩やかにすることで、前後クリック感の変化を緩やかにすることができる。この前後クリック感の変化は、前後クリック係合の有無が切替わることを使用者に認識させうる。
【００９９】
レバー４６の左右回動によって、第一状態Ｄ１と第二状態Ｄ２との切替が生ずる。レバー４６の左右方向位置（レバー周位置）によって、第一状態Ｄ１か第二状態Ｄ２かが定まる。よって、レバー周位置により、前後クリック係合が生ずるか否かが定まる。
【０１００】
なお、第一状態Ｄ１においても前後クリック係合が生じても良い。この第一状態Ｄ１における前後クリック感は、第二状態Ｄ２における前後クリック感よりも小さい。この構成は、第一ハウジング当接面Ｈｔ１の半径方向位置を調整することにより、可能となる。
【０１０１】
好ましくは、湯水混合栓１０では、次の態様（ｙ１）又は（ｙ２）が可能とされている。
（ｙ１）上記第二状態Ｄ２では上記前後クリック感が発現し、上記第一状態Ｄ１では上記前後クリック感が発現しない。
（ｙ２）上記第二状態Ｄ２における上記前後クリック感が、上記第一状態Ｄ１における上記前後クリック感よりも大きい。
【０１０２】
クリック感の多様性の観点から、次の態様（ｙ３）が可能とされていてもよい。
（ｙ３）レバー４６の角度範囲は、レバー４６の左右回動に伴い前後クリック感が徐々に又は段階的に変化する範囲Ｒ３を有する。
【０１０３】
省エネルギーの観点から、次の態様（ｙ４）が可能とされていてもよい。
（ｙ４）レバー４６の角度範囲は、レバー４６を高温側に左右回動するほど前後クリック感が徐々に又は段階的に大きくなる角度範囲Ｒ４を有する。
【０１０４】
上記態様（ｙ３）に上記態様（ｙ４）が組み合わされても良い。上記態様（ｙ１）に、上記態様（ｙ３）及び／又は（ｙ４）が組み合わされても良い。上記態様（ｙ２）に、上記態様（ｙ３）及び／又は（ｙ４）が組み合わされても良い。ハウジング当接面Ｈｔの形状を変えることにより、態様（ｙ１）、（ｙ２）、（ｙ３）（ｙ４）及びこれらの組み合わせは、容易に実現されうる。
【０１０５】
左右クリック係合は、クリック部材ｂ１とクリック係合部ｂ２との係合によって生ずる。図７の拡大部が示すように、クリック部材配置部１１０は上方に開放されている。このクリック部材配置部１１０に、弾性部材ｂ１４が配置されている。弾性部材ｂ１４はコイルバネであるが、他の弾性部材であってもよい。当接部材ｂ１２は球体である。この当接部材ｂ１２は、上下方向に移動可能な状態で、弾性部材ｂ１４によって支持されている。弾性部材ｂ１４は、当接部材ｂ１２を上方に向かって付勢している。
【０１０６】
クリック部材配置部１１０の内径は、弾性部材ｂ１４の外径に略等しい。クリック部材配置部１１０は、弾性部材ｂ１４の姿勢を保持している。弾性部材ｂ１４の姿勢は、弾性部材ｂ１４の伸縮方向が上下方向となるように、保持されている。弾性部材ｂ１４は、当接部材ｂ１２を、上方向に常時付勢している。
【０１０７】
図１１（ｂ）及び図１１（ｃ）が示すように、ハウジング４２は、クリック係合部ｂ２を有している。このクリック係合部ｂ２は、ハウジング４２の内面に設けられている。このクリック係合部ｂ２は、連結部１２４の下面に設けられている。連結部１２４の下面は、クリック部材ｂ１の当接部材ｂ１２が当接する当接面ｂ４２を有している。このように、ハウジング４２は、クリック部材ｂ１の当接部材ｂ１２が当接する当接面ｂ４２を有している。この当接面ｂ４２に、クリック係合部ｂ２が設けられている。
【０１０８】
本実施形態のクリック係合部ｂ２は凹部である。クリック係合部ｂ２の形態は限定されない。例えばクリック係合部ｂ２は凸部であってもよいし、凹凸部であってもよい。クリック係合部ｂ２の形態は、クリック部材ｂ１との間で左右クリック感を生ずるものであればよい。
【０１０９】
クリック部材ｂ１は、回動体４４と共に左右回動する。レバー４６の左右回動に伴い、クリック部材ｂ１は、円に沿って移動する。レバー４６の左右回動に伴い、クリック部材ｂ１は、円環状の当接面ｂ４２に沿って移動する。
【０１１０】
レバー周位置に関わらず、当接部材ｂ１２は、弾性部材ｂ１４によって、常に、ハウジング４２の内面に押し当てられている。即ち、レバー周位置に関わらず、当接部材ｂ１２は、弾性部材ｂ１４によって、常に、当接面ｂ４２に押し当てられている。
【０１１１】
当接部材ｂ１２がクリック係合部ｂ２に到達すると、当接部材ｂ１２がクリック係合部ｂ２に係合する。上述の通り、本実施形態のクリック係合部ｂ２は凹部である。当接部材ｂ１２は、この凹部に入り込む。このようにして、クリック部材ｂ１がクリック係合部ｂ２に係合する。この係合及び／又は係合解除により、左右クリック感が生じる。この係合は、左右クリック係合である。左右クリック係合が生じるときのレバー周位置は、例えば、クリック係合部ｂ２の位置によって調整されうる。よって、この調整は容易である。
【０１１２】
湯水混合栓１０では、上記前後クリック係合に起因する前後クリック感が、次の態様（ｘ１）又は（ｘ２）であるのが好ましい。
（ｘ１）上記前後クリック感が、上記レバーの左右回動における一部の角度範囲Ｒｘで発現し、他の角度範囲Ｒｙでは発現しない。
（ｘ２）上記レバーの左右回動において、一部の角度範囲Ｒａでの上記前後クリック感が、他の角度範囲Ｒｂでの上記前後クリック感よりも大きい。
【０１１３】
上記態様（ｘ１）は、例えば、次の態様（ｘ１０）を含む。
（ｘ１０）上記前後クリック感が、上記レバーの左右回動における一部の角度範囲Ｒｘで発現し、他の角度範囲Ｒｙでは発現しない。更に、上記角度範囲Ｒｘが角度範囲Ｒａ及び角度範囲Ｒｂを含んでおり、上記範囲Ｒａでの上記前後クリック感が、上記範囲Ｒｂでの上記前後クリック感よりも大きい。
【０１１４】
上記態様（ｘ２）は、例えば、次の態様（ｘ２０）及び（ｘ２１）を含む。
（ｘ２０）上記レバーの左右回動範囲が、第一の角度範囲Ｒａ、第二の角度範囲Ｒｂ及び第三の角度範囲Ｒｃを有しており、上記範囲Ｒａでの上記前後クリック感が、上記範囲Ｒｂでの上記前後クリック感よりも大きく、上記範囲Ｒｃでは、上記前後クリック感が生じない。
（ｘ２１）レバー周位置により、前後クリック感の大きさが変化する。
【０１１５】
なお、クリック感の大きさは、音の大きさ、振動の大きさ、レバー操作における抵抗力の大きさ等によって判断されうる。
【０１１６】
図２０は、ハンドル１４の左右回動範囲について説明するための図である。実際に目視されるのはハンドル１４であるため、図２０でもハンドル１４が示されている。ただし、ハンドル１４はレバー４６に固定されており、ハンドル１４の左右回動範囲は、レバー４６の左右回動範囲に等しい。
【０１１７】
レバー４６（ハンドル１４）は、右限界位置ＭＲから左限界位置ＭＬまで左右回動されうる。右限界位置ＭＲ及び左限界位置ＭＬは自由に設定されうる。
【０１１８】
本実施形態では、上記（ｘ１）が達成されている。即ち、角度範囲Ｒｘにおいて前後クリック感が発現し、左右回動範囲Ｒｙにおいて前後クリック感が発現しない。なお、範囲Ｒｘ及び範囲Ｒｙは、図２０の構成に限られず、あらゆる変更が可能である。例えば、上述した第一ハウジング当接面Ｈｔ１及び第二ハウジング当接面Ｈｔ２の配置によって、範囲Ｒｘ及び範囲Ｒｙが変更されうる。
【０１１９】
上述の通り、上記（ｘ２）が達成されてもよい。即ち、左右回動範囲Ｒａにおいて前後クリック感が発現し、且つ、範囲Ｒａでの前後クリック感が、範囲Ｒｂでの前後クリック感よりも大きくてもよい。なお、範囲Ｒａ及び範囲Ｒｂは、図２０の構成に限られず、あらゆる変更が可能である。例えば、上述した第一ハウジング当接面Ｈｔ１及び第二ハウジング当接面Ｈｔ２の配置によって、範囲Ｒａ及び範囲Ｒｂが変更されうる。
【０１２０】
なお、図２０の実施形態では、範囲Ｒａと範囲Ｒｂとの総和が可動全範囲ＲＦであるが、この形態に限定されないのはもちろんである。範囲ＲＦが、範囲Ｒａ及び範囲Ｒｂ以外の角度範囲を有していても良い。
【０１２１】
本実施形態では、範囲Ｒｘが、湯を吐出しうる範囲である。「湯を吐出しうる」とは、湯水が混合される場合と、湯が１００％との場合とを含む。本実施形態では、範囲Ｒｙが、水のみを吐出しうる範囲である。本実施形態では、湯が吐出するときに前後クリック感が生じるため、湯が吐出されているか否かの判断が容易である。よって、不要な湯の吐出が抑制され、省エネルギーが達成されうる。
【０１２２】
範囲Ｒａが湯を吐出しうる範囲であり、範囲Ｒｂが水のみを吐出しうる範囲であってもよい。この場合、湯が吐出するときに大きな前後クリック感が生じるため、湯が吐出されているか否かの判断が容易である。よって、不要な湯の吐出が抑制され、省エネルギーが達成されうる。
【０１２３】
本実施形態では、左右回動可能範囲ＲＦの中心周位置Ｃ１において、ハンドル１４は正面を向く。換言すれば、中心周位置Ｃ１が、レバー正面位置である。図２０が示すように、ハンドル１４の範囲ＲＦは、正面位置に対して左右対称である。範囲ＲＦは、正面位置に対して左右非対称であってもよい。
【０１２４】
本実施形態では、レバー正面位置Ｓ１において、水のみが吐出され、湯が吐出されない。よって、省エネルギー性が更に高められている。
【０１２５】
図２０において符号Ｋ１で示されるのは、湯を吐出しうる範囲と水のみを吐出しうる範囲との境界である。本実施形態では、この境界Ｋ１が、レバー正面位置Ｓ１よりも湯側に位置している。よって、レバー周位置が正面位置Ｓ１からズレた場合でも、湯が吐出しない。よって省エネルギー性が更に高められている。
【０１２６】
図２０において角度θｘで示されているのは、湯のみを吐出又は湯水混合水を吐出しうる範囲の回動角度である。図２０において角度θｙで示されているのは、水のみを吐出しうる範囲の回動角度である。図２０において角度θｋで示されているのは、正面位置Ｓ１と境界Ｋ１との間の回動角度である。省エネルギーの観点から、角度θｋは、３°以上が好ましく、５°以上がより好ましい。角度θｘが過度に小さい場合、温度調節性が低下しうる。この観点から、角度θｋは、１０°以下が好ましく、８°以下がより好ましい。
【０１２７】
本実施形態では、境界Ｋ１において、左右クリック感が生ずる。よって、湯のみ又は湯の混合が開始されるか否かの境界が、容易に認識される。本実施形態では、この左右クリック感により、湯水混合水が吐出される範囲と水のみが吐出される範囲との境界が、容易に認識される。よって、省エネルギー性が向上しうる。この観点から、境界Ｋ１又はその近傍において、左右クリック感が生ずるのが好ましい。上記省エネルギー効果を考慮すると、左右クリック感が生ずるレバー周位置は、境界Ｋ１±５°の範囲であるのが好ましく、境界Ｋ１±３°の範囲であるのが好ましく、境界Ｋ１±１°の範囲であるのがより好ましい。
【０１２８】
温度調節を容易とする観点から、上記角度θｘは、４０度以上が好ましく、５０度以上がより好ましく、５５度以上が特に好ましい。操作性の観点から、上記角度θｘは、１００度以下が好ましく、９０度以下がより好ましく、７０度以下が特に好ましい。
【０１２９】
上記角度θｙは０度とすることもできる。しかし、通常の湯水混合栓では、角度θｙが０度とはされていない。よって、上記角度θｙが０度であると、使用者がハンドル１４を右側に過度に操作してしまうことがある。この過度な操作の繰り返しは、湯水混合栓に過度な負担を与え、湯水混合栓の耐久性に悪影響を与えうる。この観点から、上記角度θｙは、１０度以上が好ましく、２０度以上がより好ましく、３０度以上が特に好ましい。上記角度θｙが過大である場合、水の割合が１００％である範囲が広くなりすぎて、操作性が低下する。この観点から、上記角度θｙは、９０度以下が好ましく、７０度以下がより好ましく、６０度以下が特に好ましい。
【０１３０】
角度比（θｙ／θｘ）が小さすぎると、角度θｘが小さくなりすぎたり、角度θｙが大きくなりすぎたりすることがある。この観点から、角度比（θｙ／θｘ）は、０．２以上が好ましく、０．４以上がより好ましく、０．６以上が特に好ましい。また、角度比（θｙ／θｘ）が大きすぎると、角度θｘが大きくなりすぎたり、角度θｙが小さくなりすぎたりすることがある。この観点から、角度比（θｙ／θｘ）は、０．９以下が好ましく、０．８以下がより好ましく、０．７以下が特に好ましい。
【０１３１】
上記実施形態では、弁体に直接関係の無い部位に前後クリック機構が設けられている。よって、弁体の設計自由度が向上する。
【０１３２】
上記実施形態では、クリック部材ａ１及びクリック係合部ａ２のいずれも耐久性に優れている。また、前後クリック係合の発生の有無が、クリック部材ａ１のスライド移動によって実現されている。この前後クリック切り替え機構は、繰り返しの使用によっても劣化しにくい。よって、長期間に亘って安定的な前後クリック感が実現しうる。
【０１３３】
上記実施形態では、弁体に直接関係の無い部位に左右クリック機構が設けられている。よって、弁体の設計自由度がより一層向上する。
【０１３４】
ハウジング当接面Ｈｔとクリック部材ａ１との接触は面接触であるため、摩耗しにくい。また、この面接触により、クリック部材ａ１のクリック係合部ａ２側への移動が、確実になされうる。よって、信頼性の高い前後クリック切り替え機構が実現されている。
【０１３５】
クリック部材ａ１は、スライド用隙間である保持部１４０に、スライド可能に保持されている。保持部１４０は、クリック部材ａ１の姿勢を安定的に保持しうる。また、レール部ａ１０２とスライド溝１４６との係合により、クリック部材ａ１の姿勢がより一層安定されている。よって、信頼性の高い前後クリック切り替え機構が実現されている。
【０１３６】
上述の実施形態では、第一ハウジング当接面Ｈｔ１及び第二ハウジング当接面Ｈｔ２の配置により、前後クリック係合が生じるときのレバー周位置が自由に設定されうる。よって、前後クリック感の設定の自由度が高い。例えば、湯が吐出されるレバー周位置のみで前後クリック感を生じさせることができる。よって、使用者が湯の使用を認識しやすくなり、省エネルギー効果が向上しうる。
【０１３７】
上述の実施形態では、クリック係合部ｂ２の配置により、左右クリック係合が生じるときのレバー周位置が自由に設定されうる。よって、左右クリック感の設定の自由度が高い。また、少ない部品点数で、安定した左右クリック機構が実現されている。
【０１３８】
上記実施形態では、弾性部材ａ１４の付勢により前後クリック感が生じている。よって、前後クリック係合が達成されつつ、レバー４６の前後回動操作は円滑である。また、上記実施形態では、弾性部材ｂ１４の付勢により左右クリック感が生じている。よって、左右クリック係合が達成されつつ、レバー４６の左右回動操作は円滑である。
【０１３９】
上記実施形態では、ハウジング４２にハウジング当接面Ｈｔが設けられている。つまり、クリック部材ａ１を移動させるための構造が、ハウジング４２に設けられている。よって、部品点数が減少し、組立コストも抑制されている。
【０１４０】
上記実施形態では、クリック部材ａ１及びクリック係合部ａ２のいずれも耐久性に優れている。また、前後クリック係合の発生の有無が、クリック部材ａ１のスライド移動によって実現されている。この前後クリック切り替え機構は、繰り返しの使用によっても劣化しにくい。よって、長期間に亘って安定的な前後クリック感が実現しうる。
【０１４１】
クリック部材ａ１において、保持部１４０との摺動面の面積は広い。よって、繰り返しの移動によっても、クリック部材ａ１は摩耗しにくい。クリック部材ａ１により、安定した前後クリック係合が達成されている。
【０１４２】
上記左右クリック機構では、当接部材ｂ１２として球体が用いられている（図７参照）。この球体ｂ１２は、回転可能な状態で支持されている。球体ｂ１２が回転することで、摩耗及び傷が抑制される。よって、使用に伴う経時劣化が抑制され、左右クリック機構の耐久性が高まる。また、摩耗及び傷が抑制されるので、使用に伴う左右クリック感の変動が少ない。よって、信頼性の高い左右クリック機構が実現される。
【０１４３】
上記実施形態では、弾性部材として、コイルバネａ１４、ｂ１４が用いられている。繰り返しの変形によっても、コイルバネの弾性係数は変化しにくい。コイルバネの使用により、使用に伴う経時劣化が抑制される。よって、クリック機構の耐久性が高まる。また、使用に伴うクリック感の変動は少ない。信頼性の高いクリック機構が実現される。
【０１４４】
上記弾性部材Ａ（弾性部材ａ１４）として、コイルバネ、板バネ及び樹脂バネが例示される。耐久性及び設計自由度の観点から、コイルバネが好ましい。このコイルバネは、圧縮コイルバネである。コイルバネでは、バネ定数等の設計自由度が高い。よって、前後クリック感の強さの設定が容易とされうる。耐久性の観点から、弾性部材Ａの材質として、金属が好ましい。この金属として、ステンレス鋼が例示される。上記実施形態では、弾性部材Ａの材質は、ＳＵＳ３０４−ＷＰＢとされた。上記実施形態では、弾性部材Ｂのコイルバネにおいて、線径は０．４ｍｍとされ、中心コイル平均径は３．０ｍｍとされ、巻数は５巻とされ、自由長さは４．５ｍｍとされ、クリック時の最短バネ長さは２．５ｍｍとされ、クリック時の最大バネ荷重は４．１（Ｎ）とされた。
【０１４５】
前後クリック感を高める観点から、弾性部材Ａ（弾性部材ａ１４）のバネ定数は、２．０（Ｎ／ｍｍ）以上が好ましく、２．５（Ｎ／ｍｍ）以上がより好ましく、２．７（Ｎ／ｍｍ）以上がより好ましい。レバーの操作性の観点から、弾性部材Ａのバネ定数は、２．０（Ｎ／ｍｍ）以上が好ましく、２．５（Ｎ／ｍｍ）以上がより好ましく、２．７（Ｎ／ｍｍ）以上がより好ましい。レバーの操作性の観点から、弾性部材Ａのバネ定数は、３．５（Ｎ／ｍｍ）以下が好ましく、３．３（Ｎ／ｍｍ）以下がより好ましく、３．０（Ｎ／ｍｍ）以下がより好ましい。上記実施形態では、弾性部材Ａ（弾性部材ａ１４）のバネ定数は、２．７（Ｎ／ｍｍ）とされた。
【０１４６】
上記弾性部材Ｂ（弾性部材ｂ１４）として、コイルバネ、板バネ及び樹脂バネが例示される。耐久性及び設計自由度の観点から、圧縮コイルバネが好ましい。コイルバネでは、バネ定数等の設計自由度が高い。よって、左右クリック感の強さの設定が容易とされうる。耐久性の観点から、弾性部材Ｂの材質として、金属が好ましい。この金属として、ステンレス鋼が例示される。上記実施形態では、弾性部材Ｂの材質として、ＳＵＳ３０４−ＷＰＢが用いられた。上記実施形態では、弾性部材Ｂのコイルバネにおいて、線径は０．４ｍｍとされ、中心コイル平均径は３．０ｍｍとされ、巻数は５巻とされ、自由長さは４．５ｍｍとされ、クリック時の最短バネ長さは２．５ｍｍとされ、クリック時の最大バネ荷重は４．１（Ｎ）とされた。
【０１４７】
左右クリック感を高める観点から、弾性部材Ｂ（弾性部材ｂ１４）のバネ定数は、２．０（Ｎ／ｍｍ）以上が好ましく、２．５（Ｎ／ｍｍ）以上がより好ましく、２．７（Ｎ／ｍｍ）以上がより好ましい。レバーの操作性の観点から、弾性部材Ｂのバネ定数は、２．０（Ｎ／ｍｍ）以上が好ましく、２．５（Ｎ／ｍｍ）以上がより好ましく、２．７（Ｎ／ｍｍ）以上がより好ましい。レバーの操作性の観点から、弾性部材Ｂのバネ定数は、３．５（Ｎ／ｍｍ）以下が好ましく、３．３（Ｎ／ｍｍ）以下がより好ましく、３．０（Ｎ／ｍｍ）以下がより好ましい。上記実施形態では、弾性部材Ｂ（弾性部材ｂ１４）のバネ定数は、２．７（Ｎ／ｍｍ）とされた。
【０１４８】
上記クリック係合部Ａ（クリック係合部ａ２）の材質として、樹脂及び金属が例示される。この樹脂には、繊維強化樹脂も含まれる。好ましい樹脂として、ＰＡ樹脂、ＡＢＳ樹脂及びＰＣ樹脂及びこれらの繊維強化材が例示される。ＰＡ樹脂とは、ポリアミド樹脂である。ＡＢＳ樹脂とは、アクリロニトリルブタジエンスチレン共重合体樹脂である。ＰＣ樹脂とは、ポリカーボネート樹脂である。耐久性及びじん性の観点から、ガラス繊維強化ＰＡ樹脂が好ましい。上記実施形態では、上記クリック係合部Ａの材質として、ガラス繊維強化ＰＡ樹脂が用いられた。
【０１４９】
生産性の観点から、上記クリック係合部Ａ（クリック係合部ａ２）は、上記レバーと一体成形されるのが好ましい。この観点から、上記レバーの材質は、上記クリック係合部Ａの材質と同じであるのが好ましい。上記実施形態では、上記レバーの材質として、ガラス繊維強化ＰＡ樹脂が用いられた。
【０１５０】
上記当接部材Ａ（当接部材ａ１２）の材質として、樹脂及び金属が例示される。この樹脂には、繊維強化樹脂も含まれる。好ましい樹脂として、ＰＡ樹脂、ＡＢＳ樹脂、ＰＯＭ樹脂、ＰＰＳ樹脂、ＰＣ樹脂及びこれらの繊維強化材が例示される。ＰＡ樹脂とは、ポリアミド樹脂である。ＡＢＳ樹脂とは、アクリロニトリルブタジエンスチレン共重合体樹脂である。ＰＯＭ樹脂とは、ポリアセタール樹脂である。ＰＰＳ樹脂とはポリフェニレンスルフィド樹脂である。ＰＣ樹脂とは、ポリカーボネート樹脂である。耐久性及びじん性の観点から、ガラス繊維強化ＰＡ樹脂が好ましい。上記実施形態では、ガラス繊維強化ＰＡ樹脂が用いられた。
【０１５１】
上記当接部材Ｂ（当接部材ｂ１２）の材質として、金属及び樹脂が例示される。この樹脂には、繊維強化樹脂も含まれる。耐摩耗性の観点から、金属が好ましく、耐蝕性をも考慮すると、ステンレス鋼がより好ましい。上記実施形態では、上記当接部材Ｂとして、ステンレス鋼製の球体が採用された。
【０１５２】
上記クリック係合部Ｂ（クリック係合部ｂ２）の材質として、樹脂及び金属が例示される。この樹脂には、繊維強化樹脂も含まれる。好ましい樹脂として、ＰＯＭ樹脂、ＡＢＳ樹脂及びこれらの繊維強化材が例示される。機械的強度及び耐摩耗性の観点から、ＰＯＭ樹脂が好ましい。上記実施形態では、上記クリック係合部Ｂの材質として、ＰＯＭ樹脂が用いられた。
【０１５３】
生産性の観点から、上記クリック係合部Ｂは、ハウジング４２と一体成形されるのが好ましい。この観点から、ハウジング４２の材質は、クリック係合部Ｂの材質と同じであるのが好ましい。上記実施形態では、ハウジング４２の材質として、ＰＯＭ樹脂が用いられた。
【０１５４】
回動体４４の材質として、樹脂及び金属が例示される。この樹脂には、繊維強化樹脂も含まれる。レバー操作時に金属同士が摺動すると、不快な音が発生する場合がある。また摺動面の材質は摩擦力を変動させるため、レバーの操作性に影響する。操作性及び不快音回避の観点から、回動体４４の材質としては、樹脂が好ましく、強化繊維を含まない樹脂がより好ましい。上記実施形態では、強化繊維を含まないＰＯＭ樹脂が用いられた。
【０１５５】
レバー軸４８の材質として、樹脂及び金属が例示される。この樹脂には、繊維強化樹脂も含まれる。水による腐食を抑制する観点から、ステンレス合金及び樹脂が好ましい。上記実施形態では、ステンレス合金が用いられた。
【０１５６】
可動弁体の上側部材８６の材質として、樹脂及び金属が例示される。この樹脂には、繊維強化樹脂も含まれる。レバー操作時に金属同士が摺動すると、不快な音が発生する場合がある。不快音回避の観点から、上側部材８６の材質としては、樹脂が好ましい。また、この上側部材８６を樹脂とすることで、可動弁体全体としての製造コストが抑制される。上記実施形態では、強化繊維を含まないＰＯＭ樹脂が用いられた。
【０１５７】
可動弁体の下側部材８８の材質として、樹脂（繊維強化樹脂を含む）、金属及びセラミックが例示される。固定弁体との摺動における耐摩耗性の観点から、セラミックが好ましい。このセラミックは、水に対する腐食性、強度及び耐久性の観点からも好ましい。上記実施形態では、セラミックが用いられた。
【０１５８】
固定弁体６２の材質として、樹脂（繊維強化樹脂を含む）、金属及びセラミックが例示される。可動弁体６０（下側部材８８）との摺動における耐摩耗性の観点から、セラミックが好ましい。このセラミックは、水に対する腐食性、強度及び耐久性の観点からも好ましい。上記実施形態では、セラミックが用いられた。
【０１５９】
パッキン６４及びＯリング８７の材質として、樹脂及びゴム材（加硫ゴム）が例示される。伸縮性により、組立性を向上し、製造誤差（寸法誤差等）が緩和されうる。これらの観点から、ゴム材が好ましい。上記実施形態では、ゴム材が用いられた。
【０１６０】
ベース体６８の材質として、樹脂（繊維強化樹脂を含む）及び金属が例示される。不快音回避及び強度の観点から、繊維強化樹脂が好ましく、ガラス繊維強化樹脂がより好ましい。上記実施形態では、ガラス繊維強化ＰＰＳ樹脂が用いられた。
【０１６１】
本願には、請求項（独立形式請求項を含む）に係る発明に含まれない他の発明も記載されている。本願の請求項及び実施形態に記載されたそれぞれの形態、部材、構成及びそれらの組み合わせは、それぞれが有する作用効果に基づく発明として認識される。
【０１６２】
上記各実施形態で示されたそれぞれの形態、部材、構成等は、これら実施形態の全ての形態、部材又は構成をそなえなくても、個々に、本願請求項に係る発明をはじめとした、本願記載の全発明に適用されうる。
【産業上の利用可能性】
【０１６３】
本発明は、あらゆる用途の湯水混合栓に適用されうる。
【符号の説明】
【０１６４】
１０・・・湯水混合栓
１２・・・混合栓本体
１４・・・ハンドル
１６・・・吐出部
１８・・・湯導入管
２０・・・水導入管
２２・・・吐出管
４０・・・バルブ組立体
４２・・・ハウジング
４４・・・回動体
４６・・・レバー
４８・・・レバー軸
６０・・・可動弁体
６２・・・固定弁体
６４・・・パッキン
６８・・・ベース体
８６・・・可動弁体の上側部材
８８・・・可動弁体の下側部材
９４・・・貫通孔
９６・・・流路形成凹部
９８・・・レバー係合凹部
ＰＬ１・・・固定弁体の上面の平滑面
ＰＬ２・・・可動弁体の下面の平滑面
ａ１・・・クリック部材Ａ
ａ１０・・・本体Ａ
ａ１１０・・・本体当接面Ａ
ａ１２・・・当接部材Ａ
ａ１４・・・弾性部材Ａ
ａ２・・・クリック係合部Ａ
ｂ１・・・クリック部材Ｂ
ｂ１２・・・当接部材Ｂ
ｂ１４・・・弾性部材Ｂ
ｂ２・・・クリック係合部Ｂ 
【図１】
2014145392.tif 000003
【図２】
2014145392.tif 000004
【図３】
2014145392.tif 000005
【図４】
2014145392.tif 000006
【図５】
2014145392.tif 000007
【図６】
2014145392.tif 000008
【図７】
2014145392.tif 000009
【図８】
2014145392.tif 000010
【図９】
2014145392.tif 000011
【図１０】
2014145392.tif 000012
【図１１】
2014145392.tif 000013
【図１２】
2014145392.tif 000014
【図１３】
2014145392.tif 000015
【図１４】
2014145392.tif 000016
【図１５】
2014145392.tif 000017
【図１６】
2014145392.tif 000018
【図１７】
2014145392.tif 000019
【図１８】
2014145392.tif 000020
【図１９】
2014145392.tif 000021
【図２０】
2014145392.tif 000022